(57)【特許請求の範囲】
【請求項１】
暗証番号を生成する暗証番号生成手段と、
前記暗証番号生成手段により生成された暗証番号をユーザに通知する通知手段と、
前記暗証番号の再通知の要求をユーザから受け付ける入力手段と、
ドライバアプリケーションを有する情報処理端末と通信を行う通信手段と、
を有する画像形成装置であって、
前記通知手段は、前記入力手段により受けつけられた要求に基づいて前記暗証番号を再通知し、
前記暗証番号は、前記ドライバアプリケーションに保持されることを特徴とする画像形成装置。
【請求項２】
前記入力手段により受け付けられた要求に基づいて再通知される前記暗証番号は、前記暗証番号生成手段により新規に生成されることを特徴とする請求項１記載の画像形成装置。
【請求項３】
前記暗証番号は、前記画像形成装置内に保持されることを特徴とする請求項１又は２に記載の画像形成装置。
【請求項４】
複数の情報処理端末と、画像形成装置と、を有する画像形成システムであって、
前記画像形成装置は、
暗証番号を生成する暗証番号生成手段と、
前記暗証番号生成手段により生成された暗証番号をユーザに通知する通知手段と、
前記暗証番号の再通知の要求をユーザから受け付ける入力手段と、
ドライバアプリケーションを有する前記情報処理端末と通信を行う通信手段と、
を有する画像形成装置であって、
前記通知手段は、前記入力手段により受けつけられた要求に基づいて前記暗証番号を再通知し、
前記暗証番号は、前記ドライバアプリケーションに保持されることを特徴とする画像形成システム。
【発明の詳細な説明】
【技術分野】
【０００１】
本発明は、印刷物の機密を保持する画像形成装置及び画像形成システムに関する。
【背景技術】
【０００２】
近年、ネットワークに接続されたプリンタシステムにより出力された印刷物から情報が漏洩してしまうという問題を防ぐために、機密性を向上させる技術が提案されている。例えば、機密文書の出力権限を有する特定の利用者が、錠付トレイへの排出指定コードと、個人識別子を添付して、プリンタに印刷ジョブを送付した場合には、錠付トレイに印刷物を排出する技術が提案されている（例えば、特許文献１）。
【０００３】
また、印刷を行う場合に、プリンタが印刷物を排出すべきトレイを決定し、そのトレイに対応した暗証番号を生成し、端末を介して暗証番号を利用者に通知する。そして、該暗証番号を利用者が入力した時に、印刷物が排出されたトレイの取出口を開放する技術も提案されている（例えば、特許文献２）。さらに、予めユーザ登録されたユーザが印刷を行った場合には、錠付トレイに印刷物を排出する技術も提案されている（例えば、特許文献３）
【０００４】
また、錠付トレイを開錠するための暗証番号を忘れるなどの不測の事態においても印刷物の取り出しを可能とする技術も提案されている（例えば、特許文献４）。具体的には、暗証番号を忘れたユーザから認証処理自体の解除要求があった場合、当該ユーザが排紙機構の制御許可登録に登録されているならば、この解除要求を受託し、排紙機構の開錠を行うことで、印刷物の取り出しを可能とする技術である。後述する本発明とは確かに暗証番号を利用している点では似ている点がある。
【特許文献１】特開２００４−２２７２１６号公報
【特許文献２】特開２００４−３３８２９５号公報
【特許文献３】特開２００５−２５４６７２号公報
【特許文献４】特開２０００−２３１４６６号公報
【発明の開示】
【発明が解決しようとする課題】
【０００５】
しかし、上述した特許文献に記載された技術では、暗証番号を忘れたユーザから認証処理自体の解除要求があった場合、当該ユーザが排紙機構の制御許可登録に登録されているならば、この解除要求を受託していた。この技術は、機密保持と暗証番号を忘れた時の対応を両立した技術として有効であるが、以下に示す場合では、機密保持ができなくなるというシステム上の問題があった。
【０００６】
排紙機構の制御許可登録されているユーザが、他人の機密情報を不正入手する為に、システムに認証自体の解除要求を行うことで、他人の排紙機構の開錠を行うことが可能な恐れがあり、機密保持低下につながる問題があった。
【０００７】
また、暗証番号を忘れた際の認証処理自体の解除要求をコンピュータから行うことにより、ユーザがプリンタへ印刷物を取りにいくまでの時間、誰でも当該排紙機構の用紙を取り出すことが可能であり、機密性に問題があった。
【０００８】
また、この技術は、暗証番号をユーザが任意に決定するシステムとなっている。ユーザは複数の暗証番号を用意していることは少なく、数個の暗証番号の使い回しが多い。そのため、暗証番号の特定がしやすく機密保持低下につながるという問題があった。
【０００９】
本発明はこのような実情を鑑みてなされたものであり、ユーザが暗証番号を忘れた際、暗証番号を再発行又は再通知し、システムを常に暗証番号による管理化におくことで、機密性の維持を図ることが可能な画像形成装置及び画像形成システムを提供することを目的とする。また、暗証番号の生成は、システム側でランダムに生成することで、暗証番号の不正な特定、解読を防御することを目的とする。
【課題を解決するための手段】
【００１０】
本発明の画像形成装置は、暗証番号を生成する暗証番号生成手段と、暗証番号生成手段により生成された暗証番号をユーザに通知する通知手段と、暗証番号の再通知の要求をユーザから受け付ける入力手段と、ドライバアプリケーションを有する情報処理端末と通信を行う通信手段と、を有する画像形成装置であって、通知手段は、入力手段により受けつけられた要求に基づいて前記暗証番号を再通知し、暗証番号は、ドライバアプリケーションに保持されることを特徴とする。
【００１１】
本発明の画像形成装置は、入力手段により受け付けられた要求に基づいて再通知される前記暗証番号は、暗証番号生成手段により新規に生成されることを特徴とする。
【００１２】
本発明の画像形成システムは、複数の情報処理端末と、画像形成装置と、を有する画像形成システムであって、画像形成装置は、暗証番号を生成する暗証番号生成手段と、暗証番号生成手段により生成された暗証番号をユーザに通知する通知手段と、暗証番号の再通知の要求をユーザから受け付ける入力手段と、ドライバアプリケーションを有する情報処理端末と通信を行う通信手段と、を有する画像形成装置であって、通知手段は、入力手段により受けつけられた要求に基づいて暗証番号を再通知し、暗証番号は、ドライバアプリケーションに保持されることを特徴とする。
【発明の効果】
【００１３】
本発明によれば、暗証番号の再通知を行うことで、機密保持を維持しつつユーザが暗証番号を忘れた際の不測の事態に対する対応が可能となる。
【発明を実施するための最良の形態】
【００１４】
以下に本発明の実施形態の例について、図面を用いて詳細に説明する。
【００１５】
図１は、本実施形態に係る画像形成装置の概略構成例を示す。図示するように、本実施形態に係る画像形成装置は、表示部１、キー操作入力部２、印刷処理部３、制御部４、暗証番号／入力番号比較部５、暗証番号生成部６、排紙トレイ７、排紙トレイ取り出しロック部８、通信部９、ＬＡＮ（Local Area Network）１０、ＵＳＢ（Universal Serial Bus）１１、非接触通信１２、サーバ１３、外部情報処理端末１４、を備える。
【００１６】
表示部１は、画像形成装置の状態表示、操作ガイダンス表示、暗証番号入力要求表示などの表示を行う。キー操作入力部２は、画像形成装置への命令入力、暗証番号入力を行うデバイスである。印刷処理部３は、印刷画像演算を行い、用紙への印刷処理を行う。
【００１７】
暗証番号／入力番号比較部５は、ユーザ認証処理において、暗証番号生成部６により生成された暗証番号と、ユーザが表示部１を介して入力した入力番号とを比較し、その比較結果を制御部４に出力する。暗証番号生成部６は、上記のように暗証番号の生成を行うが、ランダムな暗証番号生成も実現することが可能である。
【００１８】
排紙トレイ７は、印刷済用紙の保管を行う。排紙トレイ取り出しロック部８は、印刷済用紙の取り出し可否、例えば、施錠状態／開錠状態を物理的に決定するロック機構である。さらに、現在の施錠及び開錠状態をデータとして保持する。
【００１９】
通信部９は、外部情報処理端末１４からの印刷ジョブの受け付けや、外部情報処理端末１４に暗証番号の伝達することを行う。また、外部情報処理端末１４からの暗証番号の再発行/通知要求を受け入れる。通信部９は、ＬＡＮ１０、ＵＳＢ１１、非接触通信１２を有している。ＬＡＮ１０は、ＬＡＮネットワーク通信を行い、ＵＳＢ１１はＵＳＢ通信を行う。非接触通信１２は、無線ＬＡＮに代表される非接触通信である。尚、ブルトゥース、その他非接触通信でもかまわず、特にここでは限定しない。また、ここでは通信部９を構成する通信形態としてＬＡＮ１０、ＵＳＢ１１及び非接触通信１２を有する例を示したが、特にこれに限定しない。
【００２０】
サーバ１３は、ＬＡＮ使用時の情報処理装置である。外部情報処理端末１４は、ユーザの操作により、印刷ジョブの発行、暗証番号の再発行/通知要求発行、暗証番号の受信を行う。
【００２１】
制御部４は、ＣＰＵ（Central Processing Unit）、メモリ、ＨＤＤ（Hard Disk Drive）、ＡＳＩＣ（Application Specified IC）等を備えており、各ブロック間の調停を行い、データの演算、各ブロックへの命令、割り込み受付等を請け負う。以下に制御部４について詳細に説明する。
【００２２】
制御部４は、表示部１へデータを送信し、ユーザとの可視的コミュニケーションを実現する。また、キー操作入力部２から入力された命令や暗証番号を受け付ける。さらに、印刷ジョブを印刷処理部３に転送し、同時に、画像形成に必要な演算結果を印刷処理部３に出力する。また、画像形成を実現する為に、印刷処理部３に図示しない各デバイスに対して、最適な命令を発行し、且つ各デバイスの状態もモニタリングする。
【００２３】
制御部４は、保持している暗証番号と、キー操作入力部２から取得したユーザによる入力番号を暗証番号／入力番号比較部５へ送信する。そして、暗証番号／入力番号比較部５による比較結果を、受信する。
【００２４】
また、暗証番号生成部６に暗証番号の生成を行う命令を送信し、暗証番号の生成結果を受信する。また、暗証番号の再発行を暗証番号生成部６に命令した場合には、暗証番号生成部６が再発行した結果を受信する。そして、発行された暗証番号を、制御部４内に保存する。
【００２５】
また、外部情報処理端末１４からの印刷ジョブの受け入れを、通信部９を介して行う。さらに、外部情報処理端末１４へ暗証番号の通達、再通達及び再発行された暗証番号の通達を、通信部９を介して行う。さらに、画像形成装置の状態通知も行う。また、排紙トレイの取り出しロック部８の施錠／開錠を命令する。また、このロック状態を随時モニタリングする。
【００２６】
次に、本実施形態に係る画像形成装置の環境について、図１を用いて詳細に説明する。
【００２７】
ユーザが操作する外部情報処理端末１４は、印刷ジョブを発行する。画像形成装置は、印刷ジョブを内部の通信部９で受信する。この際、外部情報処理端末１４との通信方式は、ＬＡＮ１０、ＵＳＢ１１、非接触通信１２の何れでも可能である。制御部４は通信部９より印刷ジョブを受け取り、必要なデータ処理を行い、印刷処理部３に印刷データを送ると共に、用紙に画像形成を促す為に、印刷処理部３に画像形成動作を命令する。同時に、制御部４は、暗証番号生成部６に対し、暗証番号の生成を命令し、結果を自身内に保存する。
【００２８】
その際、制御部４は、印刷ジョブ毎に識別ＩＤ（IDentification）等を決定し、識別ＩＤと関連づけをして暗証番号を保存する。識別ＩＤには、例えばジョブＩＤがあり、ファイル名等のジョブを特定できる形で暗証番号と関連付けされて保存されるようにしてもよい。また、ファイルの属性にあるユーザ名や、ドライバ、アプリケーションから得られたユーザ名、ユーザＩＤ等ユーザを特定することができる形で関連付けされ、暗証番号が保存されるようにしてもよい。
【００２９】
また、外部情報処理端末１４を複数ユーザで利用してない場合や、セキュリティレベルの同一ユーザしか外部情報処理端末１４を利用していない場合や、セキュリティレベルを適度なレベルで運営することが可能なセキュリティ環境での使用の場合には、ＭＡＣアドレス、ＩＰアドレス、ドライバが取得する情報（例えば、外部情報処理端末１４名等）等の外部情報処理端末１４を特定する情報又はその他の特定可能なユニークな値と関連付けし、暗証番号を保存しても良い。また、これらを組み合わせで関連付けを行い保存しても良い。暗証番号の管理方法については、図２〜図５を用いて後述する。
【００３０】
暗証番号を保存した後は、通信部９を介して当該暗証番号を外部情報処理端末１４に通達することで、ユーザに報告する。報告方法は、通信部９を介して、ドライバ経由又はメール経由の何れで行っても良い。報告先は、印刷命令を発行した当該ユーザであり、印刷ジョブ受付時に得た端末情報（例えば、端末ＩＤ）、ユーザ名ＩＰアドレス等が報告指定先となる。
【００３１】
印刷処理部３で画像形成完了した印刷済用紙は、排紙トレイ７に蓄積される。制御部４は常時監視している排紙トレイ７のロック（施錠・開錠）状態を排紙トレイ取り出しロック部８から得ており、施錠されていることを既に認識している。前述の流れから暗証番号を受け取ったユーザは、画像形成装置のキー操作入力部２より暗証番号を入力する。その際、ユーザは、表示部１のガイダンスに従い作業を完了する。キー操作入力部２に打ち込まれた番号（入力番号と呼ぶ）は、暗証番号／入力番号比較部５に引き渡される。暗証番号／入力番号比較部５は、制御部４より得た暗証番号と、キー操作入力部２より入力された入力番号と、を比較して結果を制御部４に連絡する。制御部４は、結果が「一致」であった場合は、排紙トレイ取り出しロック部８に開錠命令を発行し、排紙トレイ７を開錠させ、ユーザの印刷済用紙の取り出しを可能とする。
【００３２】
ユーザによる印刷済用紙の取り出しプロセスにおいて、不測の事態として、ユーザによる暗証番号の紛失、忘却等が起こり、これら印刷済用紙取り出しの一連の作業の中で暗証番号の認証が不可能な場合、本実施形態の例では、以下のプロセスが追加されることにより、不測の事態時、セキュリティを維持しつつ、印刷済用紙の取り出しを実現する。
【００３３】
画像形成装置は、外部情報処理端末１４を用いたユーザからの暗証番号の再通知又は再発行要求を、ドライバを通して受ける。当該要求から外部情報処理端末１４の端末ＩＤ、ユーザＩＤ、ファイル名又はジョブＩＤ等の識別ＩＤを入手する。そして、前述した制御部４内で識別ＩＤと関連付けされた暗証番号リストを精査し、「一致」していれば、ユーザに対し、暗証番号の再通知又は再発行した新規暗証番号の通知を行う。ユーザは得られた暗証番号により、前述の方法で、印刷済用紙の回収を実現する。
【００３４】
図２は、識別ＩＤの１つである外部情報処理端末ＩＤに関連付けされた暗証番号リスト例を示す。図３は、識別ＩＤの１つであるユーザＩＤに関連付けされた暗証番号リストで例を示す。図４は、識別ＩＤの１つであるジョブＩＤに関連付けされた暗証番号リスト例を示す。図５は、複数の識別ＩＤに関連付けされた暗証番号リスト例を示す。上述した暗証番号の管理方法について、図２〜図５を用いて説明する。
【００３５】
図２に示す例では、暗証番号は外部情報端末１４と関連付けされ、制御部４により管理されている。外部情報端末ＩＤとして、上記の例ではＩＰアドレスを記載している。しかし、外部情報処理端末１４を特定できるものであれば、どのようなものでも適用することが可能であり、例えば、ドライバ（プリンタドライバ）が認識に利用するＩＤ、通信機にハード的に付与されているＭＡＣアドレス、端末番号、等でも適用することが可能である。
【００３６】
図３に示す例では、暗証番号はユーザＩＤと関連付けされ、制御部４により管理されている。ユーザＩＤは、「記号+連番号」として記載しているが、「Mr.Mike」、「Keiko」、「Jack」等、名前や覚えやすい文字列又は「社員番号」 等の所属団体の管理ＮＯ．でも適用することが可能である。また、これらユーザＩＤは予め画像形成装置に登録されているもの、印刷ジョブを発行する際にドライバ画面の入力欄に記載したもの、又は予め外部情報処理端末１４内に登録されているものをドライバが読み出し、印刷ジョブ発行時に画像形成装置に送信したもの、の何れのものでも構わない。
【００３７】
図４に示す例では、暗証番号は印刷ジョブＩＤと関連付けされ、制御部４により管理されている。ジョブＩＤは、「記号+連番号」として記載しているが、「ファイル名」、「ファイル名+ 数字（*回目の印刷を示す）」、「印刷実行年月日+ファイル名」等、印刷ジョブを特定できるものが適用可能である。さらには従属する情報を付与した物でも構わない。また、これらジョブＩＤは画像形成装置がジョブを処理する時に、画像形成装置が決定してユーザに通達したのものでも良く、又はユーザがドライバにより印刷ジョブを発行する際に、ドライバ画面の入力欄に記載したものでも良い。
【００３８】
図５に示す例では、暗証番号は複数の識別ＩＤと関連付けされ、制御部４により管理されている。外部情報処理端末１４を複数ユーザで利用している環境や、画像形成装置の利用ユーザ及び外部情報端末１４の限定を求められる高いセキュリティ環境においては、図５のように複数のＩＤを組み合わせて、暗証番号の管理を行うのもセキュリティ強固に有効である。図５では、複数の識別ＩＤとして外部情報処理端末ＩＤ、ユーザＩＤ及びジョブＩＤを使用した例を示しているが、特にこれに限定されるものではない。
【００３９】
図６は、本実施形態に係る画像形成システムの動作の流れの例を示す。次に、本実施形態に係る画像形成システムの動作の例について図６に示すフローチャートを用いて詳細に説明する。
【００４０】
本実施形態では、セキュリティレベルを比較的高く設定したオフィス環境を例に挙げて説明する。よって、フローチャートを用いた説明のなかで、上述した図５の識別ＩＤを用いたシステムとして説明をおこなう。本実施形態は、暗証番号を忘れたユーザが暗証番号の再取得できるようになっていることが、特徴である。
【００４１】
ユーザは、外部情報処理端末１４より、印刷原稿を作成し、ドライバ（印刷ドライバ）を起動する。起動する際、セキュリティの高いオフィス環境であるならば、ユーザＩＤを指定して、ログインし、起動する。この時に外部情報処理端末１４のディスプレイに表示されるログイン画面の例を図７に示す。図示するように、この例ではユーザＩＤとドライバログインパスワードを入力することにより、ログインの認証を行っている。ログインが承認された後に、ユーザは、ドライバを介して、印刷原稿を画像形成装置へ送る命令を行う。ドライバは、印刷原稿と、外部情報処理端末ＩＤと、ユーザＩＤと、ジョブＩＤと、を画像形成装置に送信する（ステップＳ６０１）。
【００４２】
画像形成装置は、印刷ジョブを受信した（ステップＳ６０２）後、暗証番号の生成を行い（ステップＳ６０３）、これら識別ＩＤと関連付けし、暗証番号を内部に保存する（ステップＳ６０４）。同時に、印刷原稿データを印刷処理部３に送信し、印刷処理を実行させ（ステップＳ６０５）、印刷済用紙をロック付排紙トレイ７に蓄積する（ステップＳ６０６）。
【００４３】
また、識別ＩＤと暗証番号をユーザの外部情報処理端末１４に転送する（ステップＳ６０７、ステップＳ６０８）。この転送方法として、今回は、ドライバによる転送方式を取ったが、メールによる転送方法を取ってもかまわない。メール転送する場合は、予め画像形成装置内にユーザＩＤと共に登録されているメールアドレスをドライバ経由で印刷ジョブ発行時に送られるユーザＩＤから検索し、検索結果であるメールアドレスを使うと良い。又は、画像形成装置に予めメールアドレスが登録されていない場合は、印刷ジョブ発行時、ユーザは暗証番号を転送したいメールアドレスをドライバ上で指定し、画像形成装置に印刷ジョブと共に送ることで、実現することができる。
【００４４】
ユーザが、印刷済用紙を排紙トレイから取り出す際は、受け取った識別ＩＤと暗証番号を紛失していない場合（ステップＳ６０９／ＮＯ）は、画像形成装置のキー操作入力部２から識別ＩＤと暗証番号を入力する（ステップＳ６１０）。画像形成装置は、この入力されたＩＤから所持している暗証番号を検索し、ユーザに入力された暗証番号と所持している暗証番号が、「一致」しているかを判断する（ステップＳ６１１）。「一致」している場合（ステップＳ６１１／ＹＥＳ）は、排紙トレイ取り出しロック部８に開錠命令をだし、印刷済用紙取り出しを可能状態とする（ステップＳ６１２）。「一致」していない場合（ステップＳ６１１／ＮＯ）は、「一致」してない旨を表示部１でユーザに伝える（ステップＳ６１３）。
【００４５】
本実施形態では、暗証番号を紛失したユーザ（ステップＳ６０９／ＹＥＳ）、又は上記ステップＳ６１０で入力した暗証番号が正しくなかったユーザは、画像形成装置に暗証番号の要求をすることができるようになっている。
【００４６】
まず、ユーザはドライバを介し、暗証番号の要求を行う（ステップＳ６１４）。外部情報処理端末１４のモニタ上に表示されたドライバから対象の画像形成装置を選択し、要求を行う。この際、ドライバの選択筋として、対象の印刷ジョブを選択可能とした選択欄を設けるのも利便性の高いものである。ドライバからは、外部情報処理端末ＩＤ、ユーザＩＤ、印刷ジョブＩＤ等の識別ＩＤを画像形成装置に転送する。暗証番号の要求を行う場合に情報処理端末１４のディスプレイに表示される画面の例を図８に示す。図示するように、この例では、対象画像形成装置を選択し、さらに印刷文書履歴から目的の印刷物に該当する履歴を選択して、暗証番号の再要求を行う例を示している。
【００４７】
画像形成装置は、ドライバから転送された暗証番号要求及び識別ＩＤを受信する（ステップＳ６１５）。受信した識別ＩＤから内部に所持している暗証番号と関連付けられた識別ＩＤを発見し（ステップＳ６１６）、該当する暗証番号を要求のあったユーザに転送する（ステップＳ６１７）。この際、上述のように、メールアドレスに報告することも可能である。また、所持している暗証番号を再送するのではなく、暗証番号を再発行することもセキュリティ向上には有効である。
【００４８】
本実施形態により、ユーザへの暗証番号の再通知又は再発行を実現することで、セキュリティを維持しつつ、ユーザが暗証番号を忘れた際の対応性を実現することが可能となる。また、暗証番号の発行は、システムでランダムな暗証番号を生成するため、他者による暗号解読によるリスクを軽減し、高い機密性を構築することが可能となる。
【００４９】
尚、本実施形態では、画像形成装置に暗証番号を要求し、暗証番号の再取得を実施していた。しかし、図６に示す暗証番号の初取得時、得た暗証番号を外部情報処理端末１４のドライバ自身が記憶することにより、いつでもドライバを起動することで、暗証番号の確認を実施、できることも有効である。さらに、暗証番号をドライバアプリケーションで保持している場合には、画像形成装置内で暗証番号の管理が不要となり、画像形成装置の構成を小さくすることが可能である。また、ＬＡＮネットワーク又はＵＳＢ等の通信網に問題が発生した場合でも、暗証番号の再取得が可能となる。
【００５０】
また、メールで暗証番号の再入手を可能とすることで、ユーザは、例えば、他のユーザに暗証番号を伝えることや、自分の持つ携帯通信端末等に暗証番号を送ることが容易となり、利便性が高くなる。
【００５１】
また、通信網経由で暗証番号をドライバ上に表示することで、メールサーバ等に支障が生じ、メールでユーザに暗証番号を通知する事ができない場合であっても、暗証番号の再入手が可能となる。
【００５２】
尚、図のフローチャートに示す処理を、ＣＰＵが実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００５３】
以上好適な実施の形態に基づき具体的に説明したが、本発明は上述した画像形成装置及び画像形成システムに限定されるものではなく、その要旨を逸脱しない範囲で種々変更可能であるということは言うまでもない。
【図面の簡単な説明】
【００５４】
【図１】本実施形態に係る画像形成装置の概略構成例を示す図である。
【図２】識別ＩＤの１つであるである外部情報処理端末ＩＤに関連付けされた暗証番号リスト例を示す図である。
【図３】識別ＩＤの１つであるユーザＩＤに関連付けされた暗証番号リスト例を示す図である。
【図４】識別ＩＤの１つであるジョブＩＤに関連付けされた暗証番号リスト例を示す図である。
【図５】複数の識別ＩＤに関連付けされた暗証番号リスト例を示す図である。
【図６】本実施形態に係る画像形成システムの動作の流れの例を示すフローチャートである。
【図７】外部情報処理端末のディスプレイに表示されるログイン画面の例を示す図である。
【図８】外部情報処理端末のディスプレイに表示される暗証番号再要求画面の例を示す図である。
【符号の説明】
【００５５】
１    表示部
２    キー操作入力部
３    印刷処理部
４    制御部
５    暗証番号／入力番号比較部
６    暗証番号生成部
７    排紙トレイ
８    排紙トレイ取り出しロック部
９    通信部
１０    ＬＡＮ
１１    ＵＳＢ
１２    非接触通信
１３    サーバ
１４    外部情報処理端末
【図１】
0005084042.tif 000002
【図２】
0005084042.tif 000003
【図３】
0005084042.tif 000004
【図４】
0005084042.tif 000005
【図５】
0005084042.tif 000006
【図６】
0005084042.tif 000007
【図７】
0005084042.tif 000008
【図８】
0005084042.tif 000009